(57)【要約】【課題】  同じ種類の符号化されたデジタルデータを受信しながら、動画と静止画とを切換えることを可能とするデジタルデータ受信機を提供することを目的とする。【解決手段】  放送波を受信してデジタルデータを生成するデジタルデータ生成部（１２、１４、１６）と、デジタルデータから映像データを生成する映像データ生成部（２０、２１）と、デジタルデータからエラー信号を検出する検出部（２０、２１）と、映像データから静止画像データを生成する静止画像生成部（２６）と、エラー信号に応じて映像データから静止画像データへの切換え制御を行う切換え制御部（３４）とを有するデジタルデータ受信機（１０）。【選択図】      図１
2006186787.tif 000002
【特許請求の範囲】
【請求項１】
デジタルデータ受信機であって、
放送波を受信してデジタルデータを生成するデジタルデータ生成部と、
前記デジタルデータから映像データを生成する映像データ生成部と、
前記デジタルデータからエラー信号を検出する検出部と、
映像データから静止画像データを生成する静止画像生成部と、
前記エラー信号に応じて映像データから静止画像データへの切換え制御を行う切換え制御部と、
を有することを特徴とするデジタルデータ受信機。
【請求項２】
前記切換え制御部は、前記エラー信号と閾値とを比較して、静止画像データへの切換えを行うか否かの判断を行う、請求項１に記載のデジタルデータ受信機。
【請求項３】
前記閾値は、前記映像データに対応する番組のジャンルに応じて設定される、請求項２に記載のデジタルデータ受信機。
【請求項４】
前記閾値は、前記映像データの映像サイズに応じて設定される、請求項２に記載のデジタルデータ受信機。
【請求項５】
前記閾値は、前記デジタルデータの種類に応じて設定される、請求項２に記載のデジタルデータ受信機。
【請求項６】
前記検出部は、前記デジタルデータ中の単位ブロック毎にエラー信号を有するか否かを検出し、
前記切換え制御部は、エラー信号を有する単位ブロックが、前記閾値に定められた値以上存在する場合に、前記静止画像データへの切換えを行う、請求項２〜５の何れか一項に記載のデジタルデータ受信機。
【請求項７】
前記静止画像生成部は、エラー信号を有する単位ブロックのデータを周囲の単位ブロックのデータで補間して、前記静止画像データを生成する、請求項６に記載のデジタルデータ受信機。
【請求項８】
さらに、前記映像データを記憶する記憶部を有し、
前記静止画像生成部は、エラー信号を有する単位ブロックのデータを前記記憶部に記憶された映像データを用いて置き換えて、前記静止画像データを生成する、請求項６に記載のデジタルデータ受信機。
【請求項９】
さらに、前記映像データを記憶する記憶部を有し、
前記静止画像生成部は、
エラー信号を有する単位ブロックのデータを周囲の単位ブロックのデータで補間して、前記静止画像データを生成する補間方法と、
エラー信号を有する単位ブロックのデータを前記記憶部に記憶された映像データを用いて置き換えて、前記静止画像データを生成する置換方法とを実行可能であり、
前記補間方法及び前記置換方法の何れか一方を選択して、前記静止画像データを生成する、
請求項６に記載のデジタルデータ受信機。
【請求項１０】
前記静止画像生成部は、エラー信号を有する単位ブロックの量に応じて、前記補間方法及び前記置換方法の何れか一方を選択して、前記静止画像データを生成する、請求項９に記載のデジタルデータ受信機。
【請求項１１】
前記放送波を受信するためのチューナ部と、
前記エラー信号に応じて、前記チューナ部の利得制御を行う利得制御部と、
をさらに有する請求項１〜１０の何れか一項に記載のデジタルデータ受信機。
【請求項１２】
前記閾値をマニュアル設定するための設定手段をさらに有する、請求項２〜５の何れか一項に記載のデジタルデータ受信機。
【請求項１３】
前記エラー信号は、動きベクトル信号である、請求項１〜１２の何れか一項に記載のデジタルデータ受信機。
【発明の詳細な説明】
【技術分野】
【０００１】
本発明は、映像データと静止画像データとを切換えて出力することができるデジタル放送受信機等のデジタルデータ受信機に関するものである。
【背景技術】
【０００２】
アナログＴＶ放送受信装置において、受信される映像信号から分離される同期パルスの時間的なゆらぎ（ジッタ）の状況を検出することにより、画像状況を検出し、さらに番組内容に応じて動画と静止画との切換えを行う技術が知られている（例えば、特許文献１）。
【０００３】
また、デジタル放送では、伝送特性の異なる複数の階層を同時に伝送する階層伝送が可能である。そこで、例えば、デジタル放送による同一チャネル内で異なった種類の符号化されたデジタルデータ（ＭＰＥＧ２、ＭＰＥＧ４又はＨ．２６４等）を受信し、受信状況に応じて一方の種類の符号化されたデジタルデータに切替える技術が知られている（例えば、特許文献２）。
【０００４】
しかしながら、受信状況に応じて異なった種類の符号化されたデジタルデータに切換える場合、それぞれの符号化されたデジタルデータから復号化された映像データが完全に同期しているとは限らないので、切換えによって、映像がシームレスに切換えられないという不都合があった。また、一方の符号化されたデジタルデータの受信状況が悪化した場合、他方の符号化されたデジタルデータの受信状況が良好とは限らず、切換えても良好な映像を提供することができない場合もあった。さらに、切換えが頻繁に行われると、ユーザに不快感を与えてしまうという不都合もあった。
【０００５】
【特許文献１】特開平１１−８８７２６号公報（６頁、図１）
【特許文献２】特開２００２−１５８７２６号公報（２頁、図１）
【発明の開示】
【発明が解決しようとする課題】
【０００６】
そこで、本発明は、同じ種類の符号化されたデジタルデータを受信しながら、動画と静止画とを切換えることを可能とするデジタルデータ受信機を提供することを目的とする。
【０００７】
また、本発明は、符号化されたデジタルデータの動きベクトル信号に応じて、動画と静止画とを切換えることを可能とするデジタルデータ受信機を提供することを目的とする。
【０００８】
さらに、本発明は、できるだけ良好な静止画を生成して、生成した静止画への切換えを可能とするデジタルデータ受信機を提供することを目的とする。
【課題を解決するための手段】
【０００９】
上記課題を解決するために、本発明に係るデジタルデータ受信機は、放送波を受信してデジタルデータを生成するデジタルデータ生成部と、デジタルデータから映像データを生成する映像データ生成部と、デジタルデータからエラー信号を検出する検出部と、映像データから静止画像データを生成する静止画像生成部と、エラー信号に応じて映像データから静止画像データへの切換え制御を行う切換え制御部とを有することを特徴とする。
【００１０】
また、本発明に係るデジタルデータ受信機では、切換え制御部は、エラー信号と閾値とを比較して、静止画像データへの切換えを行うか否かの判断を行うことが好ましい。予め設定されている閾値に応じて、静止画像データ（フリーズ画像）への切換えを行うように構成した。
【００１１】
また、本発明に係るデジタルデータ受信機では、閾値は、映像データに対応する番組のジャンルに応じて設定されることが好ましい。番組のジャンル（ニュース、スポーツ等）に応じて、映像のエラー耐性が異なることから、ジャンルに応じて閾値を設定できるように構成した。
【００１２】
また、本発明に係るデジタルデータ受信機では、閾値は、映像データの映像サイズに応じて設定されることが好ましい。映像サイズ（ハイビジョン・サイズ、スタンダード・サイズ、及びモバイル・サイズ等）に応じて、映像のエラー耐性が異なることから、映像サイズに応じて閾値を設定できるように構成した。
【００１３】
また、本発明に係るデジタルデータ受信機では、閾値は、符号化されたデジタルデータの種類（ＭＰＥＧ２、ＭＰＥＧ４又はＨ．２６４等）に応じて設定されることが好ましい。符号化されたデジタルデータの種類に応じて、映像のエラー耐性が異なることから、映像データの種類に応じて閾値を設定できるように構成した。
【００１４】
また、本発明に係るデジタルデータ受信機では、検出部はデジタルデータ中の単位ブロック毎にエラー信号を有するか否かを検出し、切換え制御部はエラー信号を有する単位ブロックが閾値に定められた値以上存在する場合に静止画像データへの切換えを行うことが好ましい。例えば、１枚の画面中に含まれるマクロブロックの所定割合以上がエラー信号を有する場合に、映像が視聴に耐えないほど劣化したと見なして、静止画像へ切換えるように構成した。
【００１５】
また、本発明に係るデジタルデータ受信機では、静止画像生成部は、エラー信号を有する単位ブロックのデータを周囲の単位ブロックのデータで補間して、静止画像データを生成することが好ましい。動画から切換えて表示される静止画像をできるだけ良好な画像にできるように補間処理等の画像修正を行うように構成した。
【００１６】
また、本発明に係るデジタルデータ受信機では、映像データを記憶する記憶部をさらに有し、静止画像生成部はエラー信号を有する単位ブロックのデータを記憶部に記憶された映像データを用いて置き換えて静止画像データを生成することが好ましい。例えば、映像が劣化する前に過去の静止画像を映像データから生成して記憶し、エラー信号を有するマクロブロックのデータを過去のデータで置き換えるように構成した。
【００１７】
また、本発明に係るデジタルデータ受信機では、映像データを記憶する記憶部をさらに有し、静止画像生成部は、エラー信号を有する単位ブロックのデータを周囲の単位ブロックのデータで補間して静止画像データを生成する補間方法と、エラー信号を有する単位ブロックのデータを記憶部に記憶された映像データを用いて置き換えて静止画像データを生成する置換方法とを実行可能であり、補間方法及び置換方法の何れか一方を選択して静止画像データを生成することが好ましく、静止画像生成部はエラー信号を有する単位ブロックの量に応じて補間方法及び置換方法の何れか一方を選択して静止画像データを生成することがさらに好ましい。２つの静止画像を修正する方法を有し、状況に応じて適切な方法を選択できるように構成した。
【００１８】
また、本発明に係るデジタルデータ受信機では、放送波を受信するためのチューナ部と、エラー信号に応じてチューナ部の利得制御を行う利得制御部と、をさらに有することが好ましい。例えば、エラー信号を有するマクロブロックが多い場合に、チューナ部のゲインコントロールを行って、より適正にデータを受信できるように構成した。
【００１９】
また、本発明に係るデジタルデータ受信機では、閾値をマニュアル設定するための設定手段をさらに有することが好ましい。ユーザが、静止画像に切換える条件、即ち閾値を独自に設定できるように構成した。
【００２０】
また、本発明に係るデジタルデータ受信機では、エラー信号は、動きベクトル信号であることが好ましい。例えば、マクロブロック毎に有する動きベクトルが所定の値より大きい場合に、異常と判断して映像の評価を行うためのエラー信号として利用するように構成した。
【発明の効果】
【００２１】
本発明に係るデジタルデータ受信機によれば、映像データ（動画）と静止画像データ（静止画）とを状況に応じて適切に切換えることが可能となった。したがって、受信状況が変化した場合であっても、異なる符号化されたデジタルデータ間でシームレスではない切換えを行う必要がなく、同じ種類の符号化されたデジタルデータによる動画と静止画像が表示できるようになった。
【発明を実施するための最良の形態】
【００２２】
以下図面を参照して、本発明に係るデジタルデータ（放送）受信機について説明する。
【００２３】
図１は、本発明に係わるデジタルデータ受信機１０の概要を示すブロック図である。
【００２４】
デジタルデータ受信機１０は、チューナ部１２、ＯＦＤＭ復調処理部１４、ＴＳデコード処理部１６、第１音声デコーダ１８、第２音声デコーダ１９、第１映像デコーダ２０、第２映像デコーダ２１、音声切換処理部２２、映像切換処理部２４、提示処理部２６、遅延回路３０、Ｄ／Ａ変換器３１、ＲＡＭ３２、ＲＯＭ３３、制御部３４、Ｉ／Ｏ３６及びシステムバス３８等から構成されている。また、デジタルデータ受信機１０は、アンテナ４０、車載用の表示部５０及びスピーカ６０及びリモコン７０と接続されている。
【００２５】
デジタルデータ受信機１０は、リモコン７０及び／又は表示部５０に設けられた各種入力装置（ボタン、タッチパネル等）からの操作入力によって制御される。なお、デジタルデータ受信機１０に、前述したアンテナ４０、車載用の表示部５０及びスピーカ６０及びリモコン７０の何れか１つ又は複数を含むように構成しても良い。
【００２６】
チューナ部１２は、アンテナ４０より放送波を受信し、所望の帯域に存在するＯＦＤＭ（Orthogonal Frequency Division Multiplexing）信号を抽出して、内蔵するＡＧＣ（Auto Gain Control）回路によってレベル調整後、ＯＦＤＭ復調処理部１４へ送る。なお、ＯＦＤＭ信号は、ＡＧＣ信号によって、所望のレベルに制御される。また、チューナ部１２は、ＡＧＣ信号をシステムバス３８を介して制御部３４に送信する。制御部３４は、ＡＧＣ信号の電圧値に応じて、受信感度が良い／悪いの判別を行うこともできる。
【００２７】
ＯＦＤＭ復調処理部１４は、デジタル変調されたＯＦＤＭ信号の復調を行い、誤り訂正処理等を行って、ＴＳ（トランスポート・ストリーム）パケット信号をＴＳデコード処理部１６へ送る。また同時に、ＯＦＤＭ復調処理部１４は、トランスポートエラー（ＴＳ−ＥＲＲ）：Ａ、Ｂ及びＣをシステムバス３８を介して制御部３４へ送信する。ＴＳ−ＥＲＲ：Ａは、携帯放送向けエラーを示し、ＴＳ−ＥＲＲ：Ｂ又はＣは、固定放送向けエラーを示している。
【００２８】
ＴＳデコード処理部１６は、ＴＳパケット信号を、フィルタリング（選別）し、必要なデータだけを対応するデコーダに引き渡す。具体的には、固定放送向け（家庭用の一般向け）デジタル放送に対応し、ＭＰＥＧ２方式によって符号化された符号化デジタルデータを音声と映像に分離して、第１音声デコーダ１８へ及び第１映像デコーダ２０へ引渡し、携帯放送向けのデジタル放送に対応し、Ｈ．２６４方式（ＭＰＥＧ−４Ｐａｒｔ１０としても知られる映像圧縮方式の一つ）（又はＭＰＥＧ４方式）によって符号化された符号化デジタルデータを音声と映像に分離して、第２音声デコーダ１９及び第２映像デコーダ２１へ引渡す。また、ＴＳデコード処理部１６は、同時に固定波放送向けデータのデコードエラー信号及び携帯放送向けデータのデコードエラー信号をシステムバス３８を介して制御部３４へ送る。さらに、ＴＳデコード処理部１６は、ＴＳパケット信号からＰＳＩ（番組特定情報）データ又はＳＩ（サービス情報、番組配列情報）を取得し、システムバス３８を介して制御部３４へ送信する。
【００２９】
固定波放送向けの符号化デジタルデータは、ＭＰＥＧ２方式で符号化されたものであって、高品質であるが、ビットレートが高いことからノイズ耐性が弱く、放送局からの距離が長くなると、良好な受信が困難となる場合がある。これに対して、携帯放送向けの符号化デジタルデータは、Ｈ．２６４方式（又はＭＰＥＧ４方式）で符号化されたものであって、ＭＰＥＧ２方式に比べるとビットレートが低いため、ノイズ耐性が強く、放送局からの距離がより長くなっても良好に受信することが可能となる。
【００３０】
ＯＦＤＭ方式では、同時に３種類の信号キャリアを搬送することができるので、最大３種類の映像データをＴＳデコード処理部１６から分離することができるが、本実施形態では、ＭＰＥＧ２方式と、Ｈ．２６４方式（又はＭＰＥＧ４方式）とで符号化された２種類の符号化デジタルデータを取扱っている。しかしながら、これに限定されることなく、第３音声デコーダ及び第３映像デコーダを設けることもできる。
【００３１】
第１音声デコーダ１８及び第１映像デコーダ２０は、ＴＳデコード処理部１６から受信した符号化されたデジタルデータのビットストリームをデコードして、固定向け放送用（ＭＰＥＧ２方式）における、音声出力用の第１音声データ及び表示用の第１映像データを生成する。また、第２音声デコーダ１９及び第２映像デコーダ２１は、ＴＳデコード処理部１６から受信した符号化されたデータのビットストリームをデコードして、携帯向け放送用（Ｈ．２６４方式又はＭＰＥＧ４方式）における、音声出力用の第２音声データ及び表示用の第２映像データを生成する。
【００３２】
また、第１映像デコーダ２０及び第２映像デコーダ２１は、符号化デジタルデータより、動き補償の単位であるマクロブロック毎に付加されている動きベクトルデータを検出し、マクロブロック毎に動きベクトルが異常値であるか否かの判断を行い、１画面単位で、１画面を構成するマクロブロックの内の何％が異常値を有しているのかを示す動きベクトルエラー信号を制御部３４へ送信する。
【００３３】
動きベクトルは、参照画面（以前の時刻に符号化され次のタイミングで使用するためにデコードされた再生画面）上でのずれ量を示す２次元データであるので、受信エラー等によって、画面が大きく乱れた場合には、動きベクトルは大きい移動状態を示すこととなる。即ち、動きベクトル異常値を示す場合（予め設定した値より大きい場合）は、対応するマクロブロックのデータは異常なデータであると理解することができる。さらに、そのようなマクロブロックが一画面中に多数存在する場合には、映像が大きく乱れており、視聴に耐えないものであると判断することができる。
【００３４】
第１及び第２音声デコーダ１８及び１９からの第１音声データ及び第２音声データは、制御部３４の制御によって音声切換処理部で何れか一方が選択され、遅延回路３０にて所定の遅延処理が成されて映像データと同期を取った後、Ｄ／Ａ変換器３１によってアナログ信号に変換されて、スピーカ６０から出力される。
【００３５】
第１及び第２映像デコーダ２０及び２１からの第１映像データ及び第２映像データは、制御部３４の制御によって映像切換処理部２４で何れか一方が選択され、提示処理部２６において後述する演算処理がなされた後、表示部５０に表示される。
【００３６】
提示処理部２８は、選択された固定波放送向け又は携帯放送向けの映像データを、表示部５０に適合させて表示させるための処理部であって、映像データを一時記憶するためのＶＲＡＭ等の記憶部２７、後述するように、第１映像データ又は第２映像データから静止画像データ（フリーズ画像データ）を生成するための、補間処理、置換処理等を含む演算処理を行う演算処理部２８等を有している。
【００３７】
制御部３４は、ＲＡＭ３２及びＲＯＭ３３を利用しながら、予めインストールされているプログラムにしたがって動作し、システムバス３８と接続されている各要素の制御を行う。また、制御部３４は、チューナ部１２からのＡＧＣ信号、ＯＦＤＭ復調処理部１４からのＴＳ−ＥＲＲ：Ａ及びＢ（又はＣ）、デコード処理部１６からのデコードエラー信号、又は第１映像デコーダ２０及び第２映像デコーダ２１からの動きベクトルエラー信号を受信し、各信号の全て又は一部に基づいて固定波放送向けデータ及び携帯放送向けデータが受信可能か否かの判断を行い、映像データから静止画像データへの表示の切換え制御を行う。
【００３８】
図２に、映像データから静止画像データへの切換え処理（フリーズ処理）のフローの一例を示す。
【００３９】
図２のフローは、主に、デジタルデータ受信機１０の制御部３４が、予めインストールされたプログラムに従い、デジタルデータ受信機１０の各要素と連携して実行する。
【００４０】
最初に、放送局から、ＭＰＥＧ２方式で符号化された符号化デジタルデータによる固定波放送と、Ｈ．２６４方式（又はＭＰＥＧ４方式）で符号化された符号化デジタルデータによる携帯向け放送による同じ内容の放送プログラムが、同一の放送チャンネルにおいて階層伝送されているものとする。また、デーデジタルデータ受信機１０は、電源がＯＮされ、各種機能が動作可能な状況になるものとする（Ｓ２０１）。
【００４１】
次に、現在表示部５０に表示している番組のジャンル、即ち、ニュースやトーク番組等のエラー耐性の低い番組か、スポーツ番組等のエラー耐性の高い番組かが判別される（Ｓ２０２）。映像内容の変化が激しいスポーツ番組等では、多少映像が乱れていても重要なシーンを見逃すよりは、映像を表示し続ける方が好ましい。そういった意味で、スポーツ番組等では映像のエラー耐性が高いと言える。このように、番組のジャンルに応じて、映像のエラー耐性が異なることから、ジャンルに応じて後述する映像から静止画像への切換えのための閾値を設定できるように構成した。また、現在表示部５０に表示している番組のジャンルは、ＴＳデコード処理部１６から出力されるＰＳＩ又はＳＩデータから特定される。
【００４２】
次に、現在表示部５０に表示している映像データのサイズが判別される（Ｓ２０３）。映像サイズ（ハイビジョン・サイズ、スタンダード・サイズ、及びモバイル・サイズ等）に応じて、映像のエラー耐性が異なることから、映像サイズに応じて閾値を設定できるように構成した。
【００４３】
次に、現在表示部５０に表示している符号化デジタルデータの種類、即ち、ＭＰＥＧ２方式で符号化された符号化デジタルデータによる固定波放送、又はＨ．２６４方式（又はＭＰＥＧ４方式）で符号化された符号化デジタルデータによる携帯向け放送が判別される（Ｓ２０４）。符号化デジタルデータ（映像ストリーム）の種類に応じて、映像のエラー耐性が異なることから、符号化デジタルデータの種類に応じて閾値を設定できるように構成した。
【００４４】
次に、現在表示部５０に表示している映像データを出力している第１映像デコーダ２０又は第２映像デコーダ２１から、参照画面（以前の時刻に符号化され次のタイミングで使用するためにデコードされた再生画面）に関する動きベクトルエラー信号を取得する（Ｓ２０５）。
【００４５】
次に、現状がフリーズ状態（静止画像データを出力している状態）か否かの判断を行い（Ｓ２０６）、現状がフリーズ状態でない場合には、取得した動きベクトルエラー信号と、Ｓ２０２〜Ｓ２０４で取得した各種状態に応じた閾値とを比較し、フリーズ状態をＯＮにする（映像データから静止画像データに切換える）か否かの判断を行う（Ｓ２０７）。
【００４６】
図３に、映像データと静止画像データとの切換え条件の一例を示す。
【００４７】
図３においては、番組ジャンル３０１、映像ストリームの種類３０２、映像サイズ３０３に応じて、フリーズ状態をＯＮにする閾値３０４を示している。例えば、スポーツ番組をＭＰＥＧ２方式のスタンダード・サイズで視聴している場合、１画面の３５％以上のマクロブロックが異常値を示している場合に、デジタルデータ出力装置１０の制御部３４は、映像データ（動画）から静止画像データ（静止画）への出力の切換えを行う。なお、フリーズＯＮのための閾値３０４は一例であって、他の値を採用することができることは言うまでもない。
【００４８】
次に、制御部３４は、提示処理部２６が、フリーズ画面（静止画像）データを作成する（Ｓ２０８）ように制御を行う。
【００４９】
提示処理部２６は、異常値を有するマクロブロックのデータを利用せず、異常値を有するマクロブロックの周囲のマクロブロックのデータを用いて補間するようにしてデータを作成して、静止画像データを作成する。
【００５０】
図４にＴＳデコード処理部１６から出力される映像ストリームのデータ構造の概略を示す。
【００５１】
図中、１枚の画面（ピクチャ）４０１は、１枚の画面を帯状に断面化した複数のスライス４０１を含み、各スライスは複数のブロックから構成されるマクロブロックを複数含んで構成されている。各マクロブロックは、例えば、１６画素×１６ライン分の輝度データ及び色差データを含む。また、図中４０２は、所定の隣接する９個のマクロブロックｎ1〜ｎ9を示している。例えば、マクロブロックｎ5が有する動きベクトルが異常値を示す場合、演算処理部２８は記憶部２７に記憶されている参照画面のデータを用いて、マクロブロックｎ5に隣接する８つのマクロブロックｎ1〜ｎ4及びｎ6〜ｎ9のデータの平均値を、新たにマクロブロックｎ5のデータとする補間処理を行う。提示処理部２６は、このような補間処理を全ての異常値を有するマクロブロックに対して行い、静止画像データを作成する。
【００５２】
次に、Ｓ２０８で作成された静止画像データを表示部５０に出力し（Ｓ２０９）、一連の処理を終了する（Ｓ２１２）。
【００５３】
Ｓ２０７でフリーズＯＮの条件に該当しないと判断された場合には、そのまま映像データの出力を維持するよう制御して、一連の処理を終了する（Ｓ２１２）。
【００５４】
Ｓ２０６で、現状がフリーズＯＮ状態にあると判断された場合には、次に、取得した動きベクトルエラー信号と、Ｓ２０２〜Ｓ２０４で取得した各種状態に応じた閾値とを比較し、フリーズ状態をＯＦＦにする（静止画像データから映像データに切換える）か否かの判断を行う（Ｓ２１０）。
【００５５】
Ｓ２１０でフリーズＯＦＦの条件に該当すると判断された場合には、静止画像データ（静止画）から映像データ（動画）へ出力の切換えを行い（Ｓ２１１）、一連の処理を終了する（Ｓ２１２）。図３に、フリーズ状態をＯＦＦにするための閾値３０５を示す。例えば、スポーツ番組をＭＰＥＧ２方式のスタンダード・サイズで視聴している場合、１画面の３０％以下のマクロブロックが異常値を示すように改善された場合には、デジタルデータ出力装置１０の制御部３４は、静止画像データ（静止画）から映像データ（動画）へ出力の切換えを行う。即ち、フリーズＯＮからＯＦＦでヒステリシスを持たせるように閾値を設定し、頻繁に映像データ（動画）と静止画像データ（静止画）との切換えが発生しないように制御している。なお、フリーズＯＦＦのための閾値３０５は一例であって、他の値を採用することができることは言うまでもない。
【００５６】
Ｓ２１０でフリーズＯＦＦの条件に該当しないと判断された場合には、そのまま静止画像データの出力を維持するよう制御して、一連の処理を終了する（Ｓ２１２）。
【００５７】
このように、動きベクトルエラー信号と、予め設定された閾値とを比較し、映像データと静止画像データと出力の切換え制御を行う。図２に示す処理フローは、所定のタイミング毎に繰り返される。
【００５８】
上記の実施形態では、番組ジャンル、映像ストリームの種類及び映像サイズの３つ条件に応じて閾値を設定した。しかしながら、番組ジャンル、映像ストリームの種類及び映像サイズのうちの何れか１つ又は任意の２つのみの条件で閾値を設定し、設定した閾値に応じて、映像データと静止画像データと出力の切換え制御を行うことも可能である。また、ユーザがリモコン７０等の操作手段を用いて、どのような条件を利用して映像データと静止画像データと出力の切換え制御を行うか、及び／又は各条件の閾値の値を、設定することができるよう構成することも可能である。
【００５９】
また、上記の実施形態では、フリーズＯＮ時とフリーズＯＦＦ時とで閾値にヒステリシスを持たせるように設定した。しかしながら、フリーズＯＮ時及びフリーズＯＦＦ時の閾値を同じ値に設定し、設定した閾値に応じて、映像データと静止画像データと出力の切換え制御を行うことも可能である。また、ユーザがリモコン７０等の操作手段を用いて、フリーズＯＮ時とフリーズＯＦＦ時との閾値の関係をどのようにするかをマニュアル設定することができるよう構成することも可能である。
【００６０】
また、上記の実施形態では、提示処理部２６の演算処理部２８が、異常値を有するマクロブロックのデータを、周囲のマクロブロックのデータを用いた補間処理により静止画像データを作成した。しかしながら、提示処理部２６の演算処理部２８では、１つ前のタイミングで表示する画面のデータを記憶部２７に記憶しておき、参照画面において異常値を有するマクロブロックのデータを、１つ前のタイミングで表示する画面における同じマクロブロックのデータに置換するような置換処理により静止画像データを作成するように構成することが可能である。
【００６１】
さらに、提示処理部２６の演算処理部２８が、前述した補間処理及び置換処理の両方の処理機能を有し、動きベクトルエラー信号に応じて、何れか又は両方の処理を行って、静止画像データを作成するように構成することが可能である。また、ユーザがリモコン７０等の操作手段を用いて、いずれの静止画像データを作成するための方法を採用するかを設定することができるよう構成することも可能である。
【００６２】
また、上記の実施形態では、動きベクトルエラー信号を用いて、映像データと静止画像データと出力の切換え制御を行っている。しかしながら、ＡＧＣ信号、ＴＳ−ＥＲＲ信号、符号化デジタルデータのビットストリームのシーケンス・ヘッダ等に設定されているエラー信号等を用いて、映像データの劣化状況を判断し、映像データと静止画像データと出力の切換え制御を行うことも可能である。
【００６３】
また、制御部３４は、動きベクトルエラー信号に基いてフリーズＯＮ状態と判断された場合、チューナ部１２の利得を上げるように制御を行うことも可能である。チューナ部１２の利得を上げることによって、受信状況が改善され、フリーズＯＦＦへの復帰が早期になされる可能性があるからである。
【図面の簡単な説明】
【００６４】
【図１】本発明に係るデジタルデータ受信機の概要を示すブロック図である。
【図２】切換処理フローの一例を示す図である。
【図３】切換えのための閾値の一例を示す図である。
【図４】データ構成の概略を示す図である。
【符号の説明】
【００６５】
１０    デジタルデータ受信機
１４    ＯＦＤＭ復調処理部
１６    ＴＳデコード処理部
１８    第１音声デコーダ
１９    第２音声デコーダ
２０    第１映像デコーダ
２１    第２映像デコーダ
２２    音声切換処理部
２４    映像切換処理部
２６    提示処理部
２７    記憶部
２８    演算処理部
３４    制御部
５０    表示部
６０    スピーカ
７０    リモコン
【図１】
2006186787.tif 000003
【図２】
2006186787.tif 000004
【図３】
2006186787.tif 000005
【図４】
2006186787.tif 000006